(57)【特許請求の範囲】
【請求項１】
装置本体の下側に該装置本体を搭載するテーブルを備え、上記装置本体の内部で発生する熱やオゾン等を排気する電子機器において、
上記装置本体内から上記テーブル底面の排気口までつなぐダクトと、
上記テーブル底面の吸気口から上記装置本体内までつなぐダクトとを有し、
上記テーブル底面で上記吸気口と上記排気口とを同一平面で隣接して開口するように設けるとともに、両ダクトの経路の長さに差を設け、該経路長差を、上記各ダクト内に配したファンユニットの発生する音の周波数の波長の半波長の奇数倍とし、上記テーブル底部近傍で、隣接して配置される上記両ダクトの接触面を、音の通過は許すが空気を通さない膜体で形成し、さらに上記テーブルの底面に設けた排気口と吸気口の間に、排気から吸気へのショートパスを防止する仕切り板を設けてなることを特徴とする電子機器の排気装置。
【請求項２】
上記仕切り板を上記テーブルに収納可能とし、上記仕切り板の開閉検知手段と、警報発生手段と、電源投入時に上記仕切り板がテーブルに収納されている場合に上記警報発生手段から警報を発生させ、上記装置本体内にある熱源となる機器が動作しないように制御する制御手段とを備えることを特徴とする請求項１の電子機器の排気装置。
【請求項３】
上記ダクトの経路を切り替える部材または上記ダクトの一部の移動によって上記ダクト長を変換する手段を備え、両ダクトの長さの差を、上記装置本体の稼動時と待機時とで切り替えることを特徴とする請求項２の電子機器の排気装置。
【請求項４】
上記装置本体の稼働時の駆動音の発生周波数検出手段とを備え、発生周波数の最も高いレベルの周波数に合わせて、上記両ダクトの経路長の差を、発生する最も大きいレベルの周波数の波長の半波長の奇数倍になるように制御することを特徴とする請求項３の電子機器の排気装置。
【請求項５】
上記請求項１から４のいずれかの電子機器の排気装置を用いたことを特徴とする電子機器。
【発明の詳細な説明】
【０００１】
【発明の属する技術分野】
本発明は、複写機、ファクシミリ、レーザープリンタ等の画像形成装置、あるいはＯＡ機器や家電製品等の電子機器内の冷却、換気能力を維持しながら静音化することができるようにした電子機器の排気装置、及びこれを用いた電子機器に関する。
【０００２】
【従来の技術及び発明が解決しようとする課題】
一般に、画像形成装置等の電子機器内部から発生する熱やオゾンの排気はファンによって行われ、排気口は装置側面のファンを設置した部分にファンの数だけ設けられている。また、最近ではファンの排気を画像形成装置の底面のみから行うものも開発されている。
【０００３】
また、機器の軽量化による持ち運びやすさや、組み合わせの選択の幅を広げるために、複写器等の画像形成装置では、画像形成本体と、その下部のテーブルとに分割した形態で販売されているものがある。テーブルは、キャスター付きの給紙テーブル（給紙トレーが付いており、これを付けると給紙の段数が増えるもの）や、キャスター付きの消耗品の収納ボックス等のように、ユーザーの必要なものを選択でき、その上に画像形成装置本体を載せると、オペレーターが立って画像形成装置を操作するのにちょうど良い高さとなるようになっている。
【０００４】
このように、装置本体とテーブルとに分割して設計され、別々に製造される電子機器については、例えば特開平６−１３２６８３号公報に開示の電子機器の冷却、換気装置のように、排気口を機器の底面の１箇所に設け、そこに大口径の排気ファンを１つ備えて、機内の集中排気を行い、吸気口も底面のみに設ければ、側面は密閉できて底面からの音の放射のみになるので低騒音化を図れ、底面のファンのフィルターを交換する時にはスイッチ操作のみでファンとフィルタが一体となったファンユニットが底面から手前に出て来て、容易に交換できるようにしたものや、特開平７−２７１２７２号公報に開示の画像形成装置のように、装置内部の排気ファンから装置本体の下面に設けた１つの排気口までダクトでつなぎ、排気口にファンとフィルタを設け、ダクトと本体カバーを一体化し、カバーにはファン用の開口以外に開口部をなくして静音化を図ったものや、特開平９−６４５６９号公報に開示の電子装置のように、電子装置後面の内壁と外壁の間の排気流路に排気ファンを設け、排気流路の上部から下部へ排気するとともに、各ラックからの排気を排気流路の上部に集め、排気流路を通って底面の排気口から排気するようにし、排気流路内に消音板を設けて騒音を小さくするものがある。しかしながらこれら従来の装置では、装置本体の底面に集中排気の排気口とファンを設置した場合、下のテーブルが排気口を塞いでしまうので排気できないという問題がある。
【０００５】
特開平６−３２４５４３号公報に開示の画像形成装置の排出装置のように、画像形成装置から排出される排気を、装置本体とは別体に構成した排気処理装置により処理することにより、装置本体の構成を小型化するとともに、騒音を低減させるようにしたものもある。しかしながらこの装置は、他には何の役にも立たない専用の排気処理装置を設置しなければならず、本体の小型化はできても、結局はシステム全体としての設置面積が増えるという不具合がある。
【０００６】
そこで本発明は、装置本体とその下に設置するテーブルとに分割して構成される画像形成装置等の電子機器において、装置としての専有スペースは変わらず、装置本体の吸気、排気をそれぞれのファンユニットでテーブル内に配したダクトを使用して行い、吸気、排気のファンユニットの音を干渉させることによって静音化を図るとともに、スペースの少ない装置本体側ではなく、比較的スペースに余裕が取れるテーブル側にダクトを取り付けることにより、設計も容易な電子機器の排気装置を提供することを目的とする。
【０００７】
【課題を解決するための手段】
本発明に係る電子機器の排気装置のうち請求項１に係るものは、上記目的を達成するために、装置本体の下側に該装置本体を搭載するテーブルを備え、上記装置本体の内部で発生する熱やオゾン等を排気する電子機器において、上記装置本体内から上記テーブル底面の排気口までつなぐダクトと、上記テーブル底面の吸気口から上記装置本体内までつなぐダクトとを有し、上記テーブル底面で上記吸気口と上記排気口とを同一平面で隣接して開口するように設けるとともに、両ダクトの経路の長さに差を設け、該経路長差を、上記各ダクト内に配したファンユニットの発生する音の周波数の波長の半波長の奇数倍とし、上記テーブル底部近傍で、隣接して配置される上記両ダクトの接触面を、音の通過は許すが空気を通さない膜体で形成し、さらに上記テーブルの底面に設けた排気口と吸気口の間に、排気から吸気へのショートパスを防止する仕切り板を設けてなることを特徴とする。
【０００８】
本発明の請求項２に係る電子機器の排気装置は、上記仕切り板を上記テーブルに収納可能とし、上記仕切り板の開閉検知手段と、警報発生手段と、電源投入時に上記仕切り板がテーブルに収納されている場合に上記警報発生手段から警報を発生させ、上記装置本体内にある熱源となる機器が動作しないように制御する制御手段とを備えることを特徴とする。
【０００９】
また本発明の請求項３に係る電子機器の排気装置は、上記ダクトの経路を切り替える部材または上記ダクトの一部の移動によって上記ダクト長を変換する手段を備え、両ダクトの長さの差を、上記装置本体の稼動時と待機時とで切り替えることを特徴とする。
【００１０】
また本発明の請求項４に係る電子機器の排気装置は、上記装置本体の稼働時の駆動音の発生周波数検出手段とを備え、発生周波数の最も高いレベルの周波数に合わせて、上記両ダクトの経路長の差を、発生する最も大きいレベルの周波数の波長の半波長の奇数倍になるように制御することを特徴とする。
【００１１】
そして本発明の請求項５に係る電子機器は、上記請求項１から４のいずれかの電子機器の排気装置を用いたことを特徴とする。
【００１２】
【発明の実施の形態】
以下本発明の実施の形態を図面を参照して説明する。なお以下では本発明を画像形成装置に適用した例のみを説明するが、本発明がこのようなものに限定されることはない。
図１は、本発明を適用する対象となる比較的小型で低速の画像形成装置の例を示す正面図である。この画像形成装置は、装置本体１と、ユーザーが自由に選べる消耗品収納テーブル２、２段給紙テーブル３、大量給紙テーブル４等によって構成されている。装置本体１とこれらのテーブル２〜４は分割して設計、生産されている。またこれらテーブル２〜４には移動する時に便利なようにキャスター７が付けられている。このように分割された機械は運搬も分割して行えるので、軽くて扱いやすい。また、ユーザーの好みによって、単なる箱の消耗品収納テーブル２や、２段トレーが使える２段給紙テーブル３、紙サイズは１種類だが、大量に用紙をセットできる大量給紙トレーが付いた大量給紙テーブル６等、選択の幅が広がる。
【００１３】
図２は、図１に示すような画像形成装置に設ける排気装置の一例を示す断面図である。この装置は、ファン８、９、１２により機外に排気しているもので、装置の主要部である装置本体１とテーブル１７（以下、テーブル２〜４をまとめて称する。）の背面部分に空気を流通させるダクトを配置するスペースを設けてある。ファン８、９によって排出される空気は、装置本体１の背面部分に設けたダクト１０に排気され、本体１のダクト１０の排気口１４に向かう。排気口１４は、テーブル１７のダクト１１の吸気口１５につながっている。ダクト１１も、テーブル１７の背面部分に設けられている。排気はオゾンフィルタ１３を通ってファン１２に吸引され、排気口１６から機外に排出される。オゾンフィルタ１３とファン１２がやや離れているのは、オゾンフィルタ１３を通過した空気が整流化してから吸引しないとファンの羽根の回転で風を切る時に不要な騒音が発生するからである。すなわちこの装置では、装置本体１とテーブル１７の背面部にダクトを配置するスペースを設けたので、その分機械が大きくなるが、排気は側面からではなく底面から行うので、壁に押し付けるように設置でき、壁から離して設置する必要があった側面から吸排気する場合とは異なり、専有面積は従来と変わらない。
【００１４】
図３は本発明に係る電子機器の排気装置の一実施形態を装置背面側から透視して示す斜視図である。本実施形態では、ダクトは排気用ダクト１０、１１と、吸気用ダクト１８、１９に分かれている。排気ファン８、９から排気された熱やオゾンを含んだ空気は、ダクト１０によって装置本体１内での一箇所に集められ、排気口１４からテーブル１７の吸気口１５に向かう。そしてこの図では図示していない（図５参照）オゾンフィルタ１３でオゾンを除去される。その後、排気ファン１２によって吸引されてダクト１１を通り、テーブル１７底面の排気口１６から機外に出る。装置本体１もテーブル１７も側面には通気口はなく、機外につながっているのはテーブル１７の底面の排気口１６及び吸気口３１だけである。吸気口３１には仕切り板２２が設けられている。
【００１５】
吸気の場合は、テーブル１７内に設けた吸気ファン２０によってテーブル１７の底面から行う。図３では図示していない（図５参照）エアフィルター３２で粉塵が機内に入るのを防止している。外気はダクト１９を通ってテーブル１７の排気口２４に出る。その空気はそのまま装置本体１の吸気口２３から装置本体１のダクト１８に入り、吸気ファン２１から装置本体１の内部に入る。これによって、外気の供給が行われるので、機内の冷却、換気はスムーズに行われる。
【００１６】
図４は装置本体１とテーブル１７のジョイント部の要部のみを示す分解斜視図である。装置本体１は底面を見せた状態である。テーブル１７には位置決めピン２５が突設してあり、装置本体１の位置決め穴２６に挿すことで自動的にセッティングできるようになっている。このセッティングの際、装置本体１の排気口１４、吸気口２３も、自動的にテーブル１７上面に設けた吸気口１５、排気口２４に嵌合する。このようにすることで、上下に分割してある形態の機械もテーブル１７を介して装置本体１の排気、吸気を外部と行うことが可能である。
【００１７】
図５は、排気ファン１２と吸気ファン２０の音を干渉させて静音化する基本的な機構を示すための背面断面図である。排気ファン１２と吸気ファン２０は、同回転数で、騒音の音響パワーレベル、発生周波数が等しいものを使用する。ダクト１１、１９は、空気の流路であるが騒音伝搬部材の働きもする。そこでこれらダクト１１の騒音伝搬距離をＰ１、ダクト１９の騒音伝搬距離をＰ２に経路長差を設ける。本実施形態では、Ｐ１＜Ｐ２としている。
【００１８】
ここで、ダクト１１、１９の経路長差が、最も騒音レベルの高い周波数の音の波長λの半波長：λ／２の奇数倍になるとき、すなわち、M、Ｎを自然数として、
【数１】
Ｐ２−Ｐ１＝（２Ｎ−１）×（λ／２）
【数２】
λ＝ｖ／ｍｎＭ
が満足されるとき、ダクト１１、１９の端部の排気口１６、吸気口３１（これらは騒音出力口にもなっている）において波長λの音は互いに打ち消し合うように干渉する。
【００１９】
またファン音の発生周波数は羽根による風切り音の周波数が支配的である。例えば、ファンの羽根枚数を８枚とすると、回転数ｍ（ｒｐｓ：１秒間の回転数）、羽根枚数ｎ、音速ｖ＝３４０（ｍ／ｓ）、発生するファンの基本周波数ｆ（Ｈｚ）として、
【数３】
λ＝ｖ／ｆ
【数４】
ｆ＝ｍ×ｎ
より、ファンが３０００ｒｐｍ時の基本周波数は
【数５】
（３０００／６０）×８＝４００Ｈｚ
であり、その波長は８５０ｍｍ、半波長は４２５ｍｍ、また二次の高調波の周波数は８００Ｈｚ、その波長は４２５ｍｍ、半波長：２１２．５ｍｍことによって、このファンを使用した場合、ダクト１１、１９の経路差を４２５ｍｍに設定するとファンの基本周波数４００Ｈｚは干渉によって、打ち消される。
【００２０】
ファンの騒音の周波数は、基本周波数だけではなく、基本周波数の自然数倍の高調波が発生することが多い。高調波の方が基本周波数よりも騒音レベルが高いことがあるので、予めファンの発生周波数を測定しておいて、一番高い騒音レベルの周波数に経路差を合わせると効果的である。そこで本実施形態では、開口部はテーブル１７の下面だけなので、画像形成装置の下面から漏れる待機時のファンの音を干渉によって打ち消し、待機時の画像形成装置の静音化となる。
【００２１】
図６は排気ファン１２と吸気ファン２０の音を干渉させて静音化する本発明の実施形態の構成を示す図５相当の背面断面図である。図５との違いは、先に示してあるように、吸気口３１に仕切り板２２を設けあること、及びダクト１１と１９の間に音波は通すが空気は通さない部材３３を設置したことである。仕切り板２２は、テーブル１７の底面の吸気口３１、排気口１６の間に境をつけ、排気口１６から出てきた熱気を含んだ空気が、直接吸気口３１に入らないようにしている。その奥行き方向の幅は、テーブル１７の奥行き幅の分だけあることが望ましい。
【００２２】
ただし仕切り板２２を設けると、テーブル１７の底面の吸気口３１、排気口１６において、そこから漏れてくる音を干渉させることができなくなる。仕切り板２２が邪魔をして、吸気口３１、排気口１６から漏れた音は干渉せずにそのまま出て来てしまうので、ダクト１１、１９の長さを変えた意味がない。そこで、ダクト１１、１９の間に、音響的にはつながっているが、空気は遮断する透過損失の極めて小さい膜体３３、例えば極端に薄くした樹脂材料や強度のあるビニールシートを使用する。この透過損失の小さい膜体３３を配置した場所で、排気ファン１２と吸気ファン２０の音を干渉させて打ち消すようにダクト１１、１９の長さを設定する。音を干渉させる原理は先の実施形態と同様であるので省略する。このような構成とすることにより、排気ファン１２と吸気ファン２０の音を干渉させて静音化し、しかも排気、吸気とも効率よく行える。なお図６中の３０は鋼または磁石である。
【００２３】
図７は、仕切り板２２を部分的に示す斜視図である。仕切り板２２の先端は支点２７を中心にテーブル１７の底面と床との間で回動できる。キャスター７を使用して機械を移動させる時に、仕切り板２２が開いて床に接地しているままだと、引っかかって移動の妨げになるので、テーブル１７の底面に設けた鋼または磁石３０と仕切り板２２に設けた磁石または鋼２９の組み合わせによって、取っ手２８をつかんでテーブル１７の底面に近付けると、仕切り板２２がテーブル１７の底面に張り付き、移動のじゃまにならないようにすることができる。仕切り板２２自体を鋼製の材料で形成してもよい。なお、仕切り板２２の開閉機構は磁石と鋼の組み合わせに限ることはなく、仕切り板２２を開閉できてテーブル１７に固定できるものであれば何でもよい。
【００２４】
また仕切り板２２には上方へ伸びるセンサ用の突起３４が設られており、テーブル１７にはこの突起３４を検知する仕切り板開閉検知手段３５が配置されている。仕切り板開閉手段３５は透過型フォトインタラプタからなり、センサ用の突起３４が仕切り板開閉手段３５に入った状態で仕切り板２２が閉まっていると検知される。本実施形態では、仕切り板２２が閉まっていると排気口１６を塞ぐことになるが吸気口３１を塞ぐようにしてもよい。どちらが塞がっていても装置本体１の換気は行えない。特に、装置本体１内に熱源がある場合、冷却用の空気を吸気できなかったり、熱気を排気できなくなると、異常温度上昇を起こし、装置が破損する。これを防ぐために、仕切り板２２が閉じていると判断された時は何らかの警報を発し、熱源が動作しないように制御する。
【００２５】
図８は、仕切り板２２の開閉の制御装置５０を示すブロック図である。この制御装置５０は、メイン制御手段５１、テーブル部制御手段５２、操作部制御手段５３、ＡＣコントローラ５４を有し、これらの制御手段はそれぞれＣＰＵとその周辺ＬＳＩ及びドライバ等で構成され、また各制御手段間でシリアル通信を行って同期制御を行うようにされている。メイン制御手段５１には、画像形成時の作像及び転写紙にかかわる各種センサからの信号が入力され、転写紙搬送や作像のためのモータ、クラッチ、ソレノイド等の各種負荷を動作させるためのタイミング制御を行う。また、操作部制御手段５３からのキー５５の入力データや、キー５５を介して設定されたモード、または紙詰まり等の装置の状態を表示器５６に表示させる制御を行う。そして、仕切り板開閉検知手段３５の信号によって、表示器５６に、「仕切り板２２が閉まっているので開いて下さい」等の表示が出るように制御する。この時、ブザーを設け、警報音を発生するようにしてもよい。またＡＣコントローラー５４は、定着ヒーター５７のヒートローラの表面温度を制御する。仕切り板開閉検知手段３５の信号によって仕切り板２２が閉じていると判断された時は、定着ヒーター５７に電流を送らない制御を行って事故を防ぐ。この時、仕切り板２２を開かない限り画像形成動作はできないようにする。テーブル部制御手段５２は、ダクトホームポジション検知手段５８、ダクト駆動モータ５９、ソレノイド６０、ファン周波数検出手段６１、吸気ファン２０、排気ファン１２等がつながれ、それぞれの検出手段から発せられた信号によって、各負荷を制御する。
【００２６】
図９は、本発明に係る電子機器の排気装置の第２の実施形態を示す背面断面図である。本実施形態は、画像形成装置の稼動時と待機時によって、テーブル１７の吸気ダクト１９の長さを、ダクト切り換え手段３６によって変化させるようにしたものである。待機時は、画像形成装置で動作しているものは、特に電子写真装置の場合は、排気ファン８、９、１２、吸気ファン２０、２１ぐらいである（デジタル機の場合、ポリゴンミラーが回転していることもあるが、待機時は停止させているものが多い）。この待機時はファンの音だけを静音化すればよいが、稼動時においてはテーブル１７の底面の吸気口３１、排気口１６から漏れてくる音は、ファン音よりも、メインモータの回転に起因する駆動音の方がはるかに音響エネルギーが大きいので、稼動時においては、ファン音よりも駆動音を静音化する必要がある。
【００２７】
そこでメイン制御手段５１が稼動時か待機時かを判断し、それによってダクト切り換え手段３６の位置を図中の実線、破線の設定された方に移動させる。ダクト切り換え手段３６の位置の切り換えは、支点を中心として、ソレノイド６０とスプリングの組み合わせで開閉させたり、１方向回転クラッチを使用してその動きに連動させて開閉させるようにしてもよい。
【００２８】
本実施形態装置では、稼動時の駆動音の周波数を予め測定しておき、最もレベルの高い周波数に合わせてダクト１１、１９の経路長差を設定する。一般的に、ファンの発生周波数と駆動系の発生周波数は異なる場合が多いので、それぞれに対応するためにダクトの経路長差も２種類必要となる。ダクト切り換え手段３６の位置が破線の時は経路Ｐ３を使用し、実線の時は経路Ｐ２を使用することになる。この様にすることで、待機時においても稼動時においても、発生周波数をダクト１１、１９の騒音干渉ポイントで、波長λの音を互いに打ち消し合うように干渉させるような経路の長さを設定することができる。
【００２９】
図１０、１１は、本発明に係る電子機器の排気装置の第３の実施形態を示す背面断面図である。本実施形態は、吸気用ダクト１９に長さ可変ダクト３７を繋げてダクトの長さを変化させ、ダクト１１とダクト１９、３７の経路長差を、画像形成装置が発生するメインの周波数の波長の半波長の奇数倍に設定するように制御するものである。図１０はダクト１９と長さ可変ダクト３７が最も短い場合（経路Ｐ２）を示している。図１１は、ダクト１９と長さ可変ダクト３７が最も長い場合（経路Ｐ２’）を示している。上述の第２実施形態の装置では、待機時と稼動時の２通りのダクト長さで、経路長差も固定であったが、本実施形態においては、発生周波数の変化に応じてダクトの経路長差を変えることができる。
【００３０】
本実施形態装置では、ファン周波数検出手段６１は、ファン２０の回転数を検出する例えばパルスジェネレータなどで、検出された信号をテーブル部制御手段５２に送り、また画像形成装置周波数検出手段６２は、メインモータ６３の回転数を検出する例えばパルスジェネレータなどで、検出された信号をメイン制御手段５１に送る。これらのどちらの場合も回転に起因する最も大きなレベルの周波数を予め調べておき、回転数に対応する周波数を設定しておく。そして、稼動時または待機時で、ダクト駆動モータ５９をどれだけ回転駆動させればよいかを制御する。なお、周波数を正確に検出する必要があるならば、発生騒音を取り込んで周波数分析する装置を用いてもよい。そして、稼動時または待機時で、最も大きいレベルの周波数を検出し、ダクト駆動モータ５９をどれだけ回転駆動させればよいかを制御する。
【００３１】
本実施形態装置の機械的構成は、長さ可変ダクト３７と、この長さ可変ダクト３７の側面に刻み込まれた精密ラック３８と、これにかみ合う精密ギヤ３９と、精密ギヤを回転駆動するダクト駆動モータ５９からなる。また、長さ可変ダクト３７から伸びるセンサ用の突起４０と、この突起４０を検知するダクトホームポジション検知手段５８が配置される。なお、ダクトホームポジション検知手段５８は透過型フォトインタラプタからなり、センサ用の突起４３がダクトホームポジション検知手段５８に入った状態で可変ダクト３７の長さが最小になるホームポジションと設定する。電源を入れ直したときは、可変ダクト３７は必ずホームポジションにいったん戻るようにする。また、ダクトホームポジション検知手段５８及びダクト駆動モータ５９は、テーブル部制御手段５２に連結し、自動制御される。
【００３２】
テーブル部制御手段５２及びメイン制御手段５１は、図８で示したものと同様であるが、さらに詳しく説明すると、各種判断及び処理機能を有する中央処理装置（ＣＰＵ）と、周波数検出手段からの信号に応じてダクト駆動モータ５９の回転量を制御をするために必要なプログラム及び固定データを格納したプログラムメモリであるＲＯＭと、処理データを格納するデータメモリであるＲＡＭと、入出力回路（Ｉ／Ｏ）とダクト駆動モータ５９を駆動するためのドライバ等からなり、長さ可変ダクト３７の長さを変えるダクト駆動モータ５９の回転量制御信号を出力する。
【００３３】
そしてこのテーブル部制御手段５２がファン周波数検出手段６１からの信号を受け、ダクト駆動モータ５９を何パルス回転させれば排気ダクト１１と吸気ダクト１９、３７の経路長差がどれくらいになるか、そしてその経路長差とファン２０及びメインモータ６３の回転数の関係をテーブルとして、予めＲＯＭに記憶させてあるデータに基づいて、その発生周波数を干渉させるようにダクトの経路長差の調節をするダクト駆動モータ５９を駆動する。このような制御をすることにより、発生する周波数に変化があった場合や、発生周波数の違うシリーズ機種等にも共通の部品として使用でき、常に画像形成装置の騒音を低減することができる。
【００３４】
【発明の効果】
本発明に係る電子機器の排気装置及びこれを用いた電子機器は、以上説明してきたように、装置本体と、その下のテーブルとに分割され、テーブル側に排気ダクトと吸気ダクトを設けて装置本体の単一の排気ダクト及び吸気ダクトとつなげることにより、テーブル底面の排気口と吸気口から排気及び吸気することができ、吸気ダクトと排気ダクトの経路の長さの差を、同回転数である吸気及び排気ファンユニットの発生するメインの周波数の波長の半波長の奇数倍に設定して、その音を干渉させることにより、待機時のファンの音を減衰でき、静音化を図れるという効果がある。また、テーブル内部に干渉ポイントを設け、干渉ポイントには騒音は通すが、空気は通さない透過損失の極めて小さい膜体を配置したので、テーブル底面に吸気口と排気口を隣接して設けることにより排気された直後の空気を直ぐに吸気する可能性があることを、吸気口と排気口の間に仕切り板を設けることにより、排気された空気を直接吸気しないようにするとともに、単に仕切り板を設けただけでは吸気及び排気ファンユニットの発生する音を干渉させることができなくなってしまうことを防ぎ、待機時のファンの音を減衰させるという効果がある。
【００３６】
請求項２に係る電子機器の排気装置は以上説明してきたようなものなので、上記共通の効果に加え、仕切り板を収納可能としたのでキャスターで移動する時にはじゃまにならないように閉じることができるようになるとともに、仕切り板を閉じると吸気口または排気口のどちらかを塞いでしまうことになるので、移動が終わって電子機器を設置した後に、仕切り板を閉じたまま電源スイッチを入れると何らかの警報を発生してオペレータに注意を促し、仕切り板を開くまで電子機器の装置本体内にある熱源となる機器を発熱させない制御を行って事故防止できるという効果がある。
【００３７】
請求項３に係る電子機器の排気装置は以上説明してきたように、電子機器の稼動時と待機時では発生する周波数が異なるのに対して待機時だけでなく稼動時にも対応するために、上記共通の効果に加え、待機時と稼動時における発生周波数に合わせてダクト長さの差を切り換えて騒音を干渉させることにより発生騒音を減衰させることができるという効果がある。
【００３８】
請求項４に係る電子機器の排気装置は以上説明してきたようなものなので、上記共通の効果に加え、電子機器の発生周波数が変化した場合に、周波数を検知してダクトの長さの差を変化させ、常に画像形成装置が発生するレベルの高い周波数を干渉させる制御をして稼動時、待機時とも静音化を行え、またファンやモータの回転数が異なるために発生周波数が異なるシリーズ機種等にも共通部品として使用することができるようになるという効果がある。
【図面の簡単な説明】
【図１】本発明を適用する対象となる比較的小型で低速の画像形成装置の例を示す正面図である。
【図２】図１に示すような画像形成装置に設ける排気装置の一例を示す断面図である。
【図３】本発明に係る電子機器の排気装置の一実施形態を装置背面側から透視して示す斜視図である。
【図４】図３に示す実施形態の装置本体とテーブルのジョイント部の要部のみを示す分解斜視図である。
【図５】図３に示す実施形態の排気ファンと吸気ファンの音を干渉させて静音化する基本的な機構を示すための背面断面図である。
【図６】図３に示す実施形態の排気ファンと吸気ファンの音を干渉させて静音化する構成を示す図５相当の背面断面図である。
【図７】図３に示す実施形態の仕切り板を部分的に示す斜視図である。
【図８】図３に示す実施形態の仕切り板の開閉の制御装置を示すブロック図である。
【図９】本発明に係る電子機器の排気装置の第２の実施形態を示す背面断面図である。
【図１０】本発明に係る電子機器の排気装置の第３の実施形態を示す背面断面図である。
【図１１】本発明に係る電子機器の排気装置の第３の実施形態を示す背面断面図である。
【符号の説明】
１  装置本体
２  消耗品収納テーブル
３  ２段給紙テーブル
４  大量給紙テーブル
６  大量給紙トレーテーブル
７  キャスター
８、９  排気ファン
１０、１１  排気用ダクト
１２  排気ファン
１３  オゾンフィルタ
１４  排気口
１５  吸気口
１６  排気口
１７  テーブル
１８、１９  吸気用ダクト
２０  吸気ファン
２１  吸気ファン
２２  仕切り板
２３  吸気口
２４  排気口
２５  位置決めピン
２６  位置決め穴
２７  支点
２８  取っ手
２９、３０  鋼または磁石
３１  吸気口
３２  エアフィルター
３３  空気を遮断する透過損失の極めて小さい部材
３４  突起
３５  仕切り板開閉検知手段
３６  ダクト切り換え手段
３７  長さ可変ダクト
３８  精密ラック
３９  精密ギヤ
４０  突起
４３  突起
５０  制御装置
５１  メイン制御手段
５２  テーブル部制御手段
５３  操作部制御手段
５４  ＡＣコントローラ
５５  キー
５６  表示器
５７  定着ヒーター
５８  ダクトホームポジション検知手段
５９  ダクト駆動モータ
６０  ソレノイド
６１  ファン周波数検出手段
６２  画像形成装置周波数検出手段
６３  メインモータ
【図１】
0003825912.tif 000002
【図２】
0003825912.tif 000003
【図３】
0003825912.tif 000004
【図４】
0003825912.tif 000005
【図５】
0003825912.tif 000006
【図６】
0003825912.tif 000007
【図７】
0003825912.tif 000008
【図８】
0003825912.tif 000009
【図９】
0003825912.tif 000010
【図１０】
0003825912.tif 000011
【図１１】
0003825912.tif 000012